(57)【特許請求の範囲】
【請求項１】
６枚のジュラルミン製のパネルから構成されたキャビネットとスピーカユニットとから構成され、上下及び左右のパネルはそれぞれ緩やかな曲面をもって形成され、それぞれ対向する上下、左右、前後のパネルはそれぞれ貫通ネジ棒にて互いに引っ張り合わせてテンションを掛けた状態で組み立てられたことを特徴とするスピーカ。
【請求項２】
上記スピーカユニットは前パネルに組み込まれるとともに、後パネルに螺入されたネジ棒にてスピーカユニット背面が押圧されたことを特徴とする請求項１に記載のスピーカ。
【発明の詳細な説明】
【０００１】
【発明の属する技術分野】
本発明は、金属製キャビネットを用いたスピーカに関し、特にキャビネットにテンションが与えられてなるスピーカに関する。
【０００２】
【従来の技術】
従来、金属、木材を問わずパネルにテンションを与えると振動の態様が変わり、相当な制振作用がもたらされることが知られており、金属製スピーカキャビネットとしては、内部伝播速度が早く立ち上がりのよい音を得るために比較的量産可能なものの中で最も強度の強いジュラルミンを用いる試みがなされている。
【０００３】
かかるジュラルミンはアルミニウムと異なり、溶接ができず、また粘性がないので屈曲すると割れてしまうことから、比較的厚い板を組み合わせてその縁部をネジ止めしたり、鋳造によって製造されていたところである。
しかしながら、ジュラルミンの厚板のネジ止めや鋳造では材料コストが高いのみならず、十分なテンションが与えられず、当該材料の持つ特性を十分生かすことができていなかった。
【０００４】
【発明が解決しようとする課題】
そこで、かかるジュラルミンを用いるとともにこれにテンションを与えて内部伝播速度が早く立ち上がりのよい音が得られるスピーカキャビネットを備えたスピーカ提供をすることに技術的課題が存する。然るに、本発明者は、ジュラルミンも比較的薄い板厚とすれば、緩やかな曲げには絶え得ることに着目して本発明を為すに到った。
【０００５】
【課題を解決するための手段】
上記課題は、６枚のジュラルミン製のパネルから構成されたキャビネットとスピーカユニットとから構成され、上下及び左右のパネルはそれぞれ緩やかな曲面をもって形成され、それぞれ対向する上下、左右、前後のパネルはそれぞれ貫通ネジ棒にて互いに引っ張り合わせてテンションを掛けた状態で組み立てられたスピーカキャビネットを備えたスピーカによって解決する。なお、当該ジュラルミン製パネルの厚さは４mm程度を上限とする比較的薄いものを用いるのが亀裂を生じることなく屈曲面を形成する上で好ましい。かかるスピーカによれば、キャビネットが強度の高い材質にテンションが与えられた構造であるので、箱体の強度が強くなるのみならず、内部伝播速度が高く立ち上がりのよい音を得ることができる。さらには、上下及び左右の各一対のパネルにおいて平行面を形成することがないので、定在波が生じ難い形状となる。
【０００６】
また、上記スピーカユニットは前パネルに組み込まれるとともに、後パネルに螺入されたネジ棒にてスピーカユニット背面を押圧した構造とすれば、金属製であるスピーカユニット自体の制振にも寄与する。
【０００７】
かかるスピーカのキャビネットを組み立てるには、まず６枚のパネルの中、上下及び左右のパネルにベンディングローラ又はプレス等によって緩やかな曲面を形成した上で、対向する上下、左右のパネルをそれぞれ貫通ネジ棒にて互いに引っ張り合わせて筒状に組み立てる。次いで、当該筒状体の両端開口部の形状に合わせて前後パネルを形成し、前パネルには予めスピーカユニットを取り付け、前パネルと後パネルとによって該筒状体の前後開口部を貫通ネジ棒で互いに引っ張り合わせて密閉する。かかる方法によって、溶接ができず粘性も低いジュラルミンにテンションを与えた状態で、しかも上下及び左右の各一対のパネルにおいて平行面を形成することがない箱体に組み立てることができる。
【０００８】
【発明の実施の形態】
次に、本発明のスピーカに係る実施例について添付図面を参照しつつさらに詳細に説明することとする。
図１は、本願発明の第１実施例にかかるスピーカ１を示すもので、それぞれ対称形状の緩やかな曲面を有しており筒状に形成される上下パネル２ａ、２ｂ及び左右パネル３ａ、３ｂと、当該筒状体の両側開口を密閉する前後パネル４ａ、４ｂ及び前パネル４ａに取り付けられたスピーカユニット５とを有している。
【０００９】
上下パネル２ａ、２ｂは、中央部分が緩やかな曲面を描いて外側に膨らむとともに両端部がやや反り返った波状に形成され、その前後部２個所に貫通ネジ棒６ａ、６ｂが挿通する貫通孔が形成されている。また、左右パネル４ａ、４ｂは緩やかな曲面を描いて反った形状に形成されると共に、前後部２個所には貫通ネジ棒７ａ、７ｂが挿通する貫通孔が形成されている。
【００１０】
前後パネル４ａ、４ｂは上下左右パネルで形成される筒状体の両側開口に合わせた形状に切断形成されるとともに、貫通ネジ棒８ａ、８ｂが挿通する貫通孔が形成されている。前パネル４ａは中央部に円形孔が形成され、その縁部にスピーカユニット５が嵌め込まれネジ止めされる。
【００１１】
なお、図１における下パネル２ｂ、右パネル３ｂ及び後パネル４ｂに形成された各貫通孔は、各貫通ネジ棒６ａ、６ｂ、７ａ、７ｂ、８ａ、８ｂの先端ネジ部が螺着されるネジ孔としてもよい。貫通孔の場合は各貫通ネジ棒の先端部はナット（図示せず）によってネジ止めされる。
【００１２】
上述の各パネルを箱体に組み立てるには、先ず、左右パネル３ａ、３ｂに貫通ネジ棒７ａ、７ｂを挿入してネジ棒先端をナット止めしておいて、上下パネル２ａ、２ｂを上下から被せた状態で貫通ネジ棒６ａ、６ｂを貫通孔に挿入して先端をナット止めして左右パネル３ａ、３ｂとの間で位置調整しながらネジ締めして固定して筒状体を構成する。次いで、この筒状体の両端開口部を前後パネル４ａ、４ｂで塞いで、貫通ネジ棒８ａ、８ｂを貫通孔に挿入して先端にナットを装着して締め上げる。各貫通ネジ棒を締め上げていくと、上下、左右、前後の各パネルが箱状に密閉固定されて強度が確保されるのみならず全体にテンションが与えられたスピーカキャビネットが形成されることとなる。
【００１３】
図２及び３は、第２実施例にかかるスピーカ１ａを示すもので、上下パネル２ｃ、２ｄの曲面形状とそれに伴って前後パネル４ｃ、４ｄの形状が異なる点を除いては、貫通ネジ棒にて締め上げて箱状に構成する点においては第１実施例と同様であるので説明を省略する。
【００１４】
後パネル４ｄには、パネル同士を引っ張り合う両側縁部に設けた貫通ネジ棒８ａ、８ｂ用の貫通孔の他に、前パネル４ｃに取り付けられたスピーカユニット５に対向する中央部にネジ孔を設けると共に当該ネジ孔にネジ棒９が螺入して対向するスピーカユニット背面を押圧している。このネジ棒９はこの押圧に充分に耐え得る強度のあるものを使用する。かかるネジ棒９による後方からの押圧によって金属製であるユニット自体の制振に寄与することとなる。
【００１５】
【発明の効果】
本発明によれば、強度の高いが溶接ができず粘性も低いジュラルミン板を用いてテンションが与えられ内部伝播速度が高く立ち上がりのよい音を得ることができるスピーカを容易にかつ、安いコストでつくることができることとなった。
さらには、上下及び左右の各一対のパネルにおいて平行面を形成することがないので、定在波が生じ難いスピーカを提供できることとなった。
【００１６】
また、後パネルに螺入されたネジ棒にてスピーカユニット背面を押圧した構造とすれば、スピーカユニット自体の制振に寄与するスピーカとなる。
【図面の簡単な説明】
【図１】本発明の第１実施例にかかるスピーカの分解斜視図である。
【図２】本発明の第２実施例にかかるスピーカの分解斜視図である。
【図３】同上の縦断面図である。
【符号の説明】
１、１ａ            スピーカ
２ａ、２ｃ          上パネル
２ｂ、２ｄ          下パネル
３ａ                左パネル
３ｂ                右パネル
４ａ                前パネル
４ｂ                後パネル
５                  スピーカユニット
６ａ、６ｂ、７ａ、７ｂ、８ａ、８ｂ      貫通ネジ棒
９                  ネジ棒
【図１】
0004132349.tif 000002
【図２】
0004132349.tif 000003
【図３】
0004132349.tif 000004